(57)【要約】【課題】      引き手つまみを連結体に強度を保持しつつ取り付けると共にデザイン性に優れたスライダ−チャックを提供することである。【解決手段】  スライダ−４の連結用起立部４ａに２重リングの連結体５を介して引き手つまみ６が取り付けられている。  引き手つまみ６はシリコン板など可撓性を有するコムや合成樹脂の板材で細長く形成された素材が二つ折りされ、二つ折りの折り返し部６ａ位置に円弧部６ｂが作られ、円弧部６ｂの中に２重リングの連結体５が通され、引き手つまみ６の二つ折りの折り返し部６ａの外側に引き手つまみ６より硬質の材料で形成されたステンレス板の補強体７が重ねられてリベット８で固定される。【選択図】        図１
2008110110.tif 000002
【特許請求の範囲】
【請求項１】
連結体に折り返して取り付ける引き手つまみの折り返し部に補強体を重ねて取り付けたことを特徴とするスライダ−チャック。
【発明の詳細な説明】
【技術分野】
【０００１】
本発明は、スライダ−チャックに取り付ける引き手つまみを改良したスライダ−チャックに関する。
【背景技術】
【０００２】
従来スライダ−チャックのスライダ−には引き手が取り付けられているが、引き手の長さは長短あって、かじかんだ手や手袋を装着した手では摘み難かったり、魚のぬめりが付着した手では掴み難いものがある。
特許文献１に主引き手に補助引き手を取り付けた提案や特許文献２に短い引手に長い雌雄混在接合部材を取り付けた提案がある。
しかし、特許文献１では主引き手に補助環を介して、補助環に補助引き手を取り付けているので、補助引き手の材料によって強度が不足して使用中に破損して補助環から外れることがある。
特許文献２においても強度が不足で雌雄混在接合部材が破損して外れてしまうことがある。
【特許文献１】特開２０００−９３２１２号公報
【特許文献２】特開２０００−３４２３０８号公報
【発明の開示】
【発明が解決しようとする課題】
【０００３】
解決しようとする問題点は、引き手や引き手に連結された補助環に取り付ける補助引き手や雌雄混在接合部材が強度が不足で破損して外れてしまうことことである。
【０００４】
本発明の目的は前記欠点に鑑み、引き手つまみを連結体に強度を保持しつつ取り付けると共にデザイン性に優れたスライダ−チャックを提供することである。
【課題を解決するための手段】
【０００５】
本発明の請求項１は、連結体に折り返して取り付ける引き手つまみの折り返し部に補強体を重ねて取り付けたことを要旨とするものである。
【発明の効果】
【０００６】
本発明により、引き手つまみの二つ折りの折り返し部の強度が補強され、引き手つまみの破損が防止できる。
【発明を実施するための最良の形態】
【０００７】
スライダ−４の連結用起立部４ａに２重リングの連結体５を介して引き手つまみ６が取り付けられている。
引き手つまみ６はシリコン板で細長く形成された素材が二つ折りされ、二つ折りの折り返し部６ａ位置に円弧部６ｂが作られ、円弧部６ｂの中に２重リングの連結体５が通され、引き手つまみ６の二つ折りの折り返し部６ａの外側にステンレス板の補強体７が重ねられてリベット８で固定される。
【実施例１】
【０００８】
以下、図示の実施例によって本発明を説明すると、図１から図３は第１実施例で、図１はスライダ−チャックの斜視図、図２はスライダ−チャックのスライダ−に取り付ける引き手つまみの製作工程を示す斜視図、図３（ａ）は引き手つまみの正面図で（ｂ）は引き手つまみの断面側面図である。
【０００９】
スライダ−チャック１は一対の帯状体２、３に夫々雄雌の歯爪２ａ、３ａが固定されてスライダ−４で噛合離脱されて開閉される。
スライダ−４には連結用起立部４ａが形成されて一般に市販のスライダ−チャックにはこの連結用起立部４ａに引き手が取り付けられている。
図１ではスライダ−４の連結用起立部４ａに２重リングの連結体５を介して引き手つまみ６が取り付けられている。
引き手つまみ６はシリコン板など可撓性を有するゴムや合成樹脂の板材で細長く形成された素材が二つ折りされ、二つ折りの折り返し部６ａ位置に円弧部６ｂが作られ、円弧部６ｂの中に２重リングの連結体５が通され、引き手つまみ６の二つ折りの折り返し部６ａの外側に引き手つまみ６より硬質の材料で形成されたステンレス板の補強体７が重ねられてリベット８で固定される。
引き手つまみ６の長さはスライダ−チャック１が取り付けられる物によるが、例えば手袋を装着した手の指で確実に摘める長さに設定するとよい。
２重リングの連結体５は一重リングの連結体であってもよい。
リング形状は丸以外に三角形状であってもよい。
【００１０】
スライダ−チャック１の引き手つまみ６が２重リングの連結体５に取り付けられる時、二つ折りの折り返し部６ａにステンレス板の補強体７が重ねられてリベット８で固定されると、二つ折りの折り返し部６ａに力が掛かっても破損することがない。
なお、補強体７は引き手つまみ６の内側に設けてもよい。
【００１１】
前記のようにスライダ−チャックが構成されると、引き手つまみ６の二つ折りの折り返し部６ａの強度が補強されると共に、細いステンレス板の補強体７で補強されるのでデザイン性を向上することが出来る。
【実施例２】
【００１２】
図４は第２実施例で、図４（ａ）は引き手つまみ素材の斜視図で（ｂ）は引き手つまみの断面側面図で（ｃ）は引き手つまみの正面図である。
【００１３】
第２実施例の引き手つまみ６はシリコン板で細長く形成された素材が二つ折りされ、内側にステンレスワイヤ−の補強体７′が重ねられ、二つ折りの折り返し部６ａ位置に円弧部６ｂが作られて円弧部６ｂの中に２重リングの連結体５が通され、他の部分は重ねられて固定される。
引き手つまみ６の内側に補強体７′を設けたので連結体５は補強体７′と接触するため引き手つまみ６の破損が効率よく防止できる。
他の構成は前記第１実施例と略同一である。
【実施例３】
【００１４】
図５は第３実施例で、図５はスライダ−チャックのスライダ−に引き手が取り付けられ、引き手に連結体を介して引き手つまみが取り付けられた斜視図である。
【００１５】
第３実施例では市販のスライダ−チャックのスライダ−に引き手９が取り付けられた状態で、この引き手９に２重リングの連結体５を介して引き手つまみ６が取り付けられている。
２重リングの連結体５を介して引き手つまみ６が引き手９に取り付けられるようにすると必要に応じて着脱が自在になる。
他の構成は前記第１実施例と略同一である。
【実施例４】
【００１６】
図６は第４実施例で、図６はスライダ−チャックのスライダ−に引き手が取り付けられ、引き手に引き手つまみが取り付けられた斜視図である。
【００１７】
第４実施例では市販のスライダ−チャックのスライダ−に引き手９が取り付けられた状態で、この引き手９を連結体として引き手つまみ６が取り付けられている。
他の構成は前記第１実施例と略同一である。
【産業上の利用可能性】
【００１８】
本発明はスライダ−チャックの全般に利用できる。
【図面の簡単な説明】
【００１９】
【図１】第１実施例で、スライダ−チャックの斜視図である。
【図２】同スライダ−チャックのスライダ−に取り付ける引き手つまみの製作工程を示す斜視図である。
【図３】同（ａ）は引き手つまみの正面図で（ｂ）は引き手つまみの断面側面図である。
【図４】第２実施例で、（ａ）は引き手つまみ素材の斜視図で（ｂ）は引き手つまみの断面側面図で（ｃ）は引き手つまみの正面図である。
【図５】第３実施例で、スライダ−チャックのスライダ−に引き手が取り付けられ、引き手に連結体を介して引き手つまみが取り付けられた斜視図である。
【図６】第４実施例で、スライダ−チャックのスライダ−に引き手が取り付けられ、引き手に引き手つまみが取り付けられた斜視図である。
【符号の説明】
【００２０】
１  スライダ−チャック
５、（９）  連結体
６  引き手つまみ
６ａ  二つ折りの折り返し部
７、７′  補強体
【図１】
2008110110.tif 000003
【図２】
2008110110.tif 000004
【図３】
2008110110.tif 000005
【図４】
2008110110.tif 000006
【図５】
2008110110.tif 000007
【図６】
2008110110.tif 000008